(57)【要約】      （修正有）【課題】取付台を小型化した携帯式電子表示装置の車載用取付台を提供する。【解決手段】支持架台、Ｕ字取付台及び自在式掛け合い部材より構成し、Ｕ字取付台は支持架台に接続され、Ｕ字取付台はもう一つの側板、側板及び底部側板と相互に接続し、もう一つの側板、側板は囲い込んで収容凹み部を形成し、自在式掛け合い部材は操作部及び掛け合い部を備え、前記側板の長さ及びもう一つの側板の長さについて、少なくとも一つの側板の長さは前記底部側板の幅より大きく設ける。【選択図】図１
0003142389.tif 000002
【実用新案登録請求の範囲】
【請求項１】
支持架台、Ｕ字取付台及び自在式掛け合い部材より構成し、
前記Ｕ字取付台は、前記支持架台に接続し、
前記Ｕ字取付台はもう一つの側板、側板、及び底部側板を含み、
そのうちの、底部側板はもう一つの側板と側板にそれぞれ接続し、もう一つの側板、側板は囲い込んで収容凹み部を形成し、
前記自在式掛け合い部材は前記のＵ字取付台の側板に枢設して側板に対して回転し、
前記自在式掛け合い部材は操作部及び掛け合い部をそれぞれ含み、
前記側板ともう一つの側板のうち、少なくとも一つの側板の長さが前記底部側板の幅より大きいことを特徴とする、
携帯式電子表示装置の車載用取付台。
【請求項２】
前記自在式掛け合い部材は掛け合いカムを用いて、前記自在式掛け合い部材の操作部を操作し、前記自在式掛け合い部材を前記側板に対して回転させ、前記掛け合い部は前記収容凹み部に向かって回転することを特徴とする、請求項１記載の携帯式電子表示装置の車載用取付台。
【請求項３】
前記自在式掛け合い部材の掛け合い部は回転輪を枢設することを特徴とする、請求項２記載の携帯式電子表示装置の車載用取付台。
【請求項４】
前記支持架台は連稈を用いることを特徴とする、請求項１記載の携帯式電子表示装置の車載用取付台。
【請求項５】
前記連稈は端部を備え、かつ、前記Ｕ字取付台は前記端部に接続することを特徴とする、請求項４記載の携帯式電子表示装置の車載用取付台。
【請求項６】
前記連稈の端部は滑り駒を含み、前記Ｕ字取付台は摺動部を含み、前記滑り駒は前記摺動部に合わせて設け、前記Ｕ字取付台は前記端部に接続することを特徴とする、請求項５記載の携帯式電子表示装置の車載用取付台。
【請求項７】
前記連稈はもう一つの端部を備え、かつ、もう一つの端部は真空吸着盤が組み込まれていることを特徴とする、請求項５記載の携帯式電子表示装置の車載用取付台。
【請求項８】
前記真空吸着盤はプラスチック製のカップ体を用いることを特徴とする、請求項７記載の携帯式電子表示装置の車載用取付台。
【請求項９】
前記真空吸着盤は突起部を含み、前記連稈に係止めカムを枢設し、前記係止めカムは前記連稈に対して回転し、前記突起部に合わせて係止めることを特徴とする、請求項８記載の携帯式電子表示装置の車載用取付台。
【請求項１０】
前記Ｕ字取付台に備えるもう一つの側板は、前記収容凹み部に向かう場所に固定式掛け合い部材を設けることを特徴とする、請求項１記載の携帯式電子表示装置の車載用取付台。
【請求項１１】
固定式掛け合い部材は一つ以上の突起部を有することを特徴とする、請求項１０記載の携帯式電子表示装置の車載用取付台。
【請求項１２】
前記Ｕ字取付台に備える前記側板は貫通孔を設け、前記貫通孔は前記収容凹み部に連絡し、かつ前記自在式掛け合い部材は前記貫通孔を通した後、前記側板に枢設することを特徴とする、請求項１記載の携帯式電子表示装置の車載用取付台。
【請求項１３】
前記支持架台は可とう性連稈を用いることを特徴とする、請求項１記載の携帯式電子表示装置の車載用取付台。
【請求項１４】
前記可とう性連稈は金棒に軟性部材を被せることを特徴とする、請求項１３記載の携帯式電子表示装置の車載用取付台。
【請求項１５】
前記支持架台は複数の連稈より組み合わせることを特徴とする、請求項１記載の携帯式電子表示装置の車載用取付台。
【考案の詳細な説明】
【技術分野】
【０００１】
本考案は車載用取付台、特に一種のＣＤ-ＲＯＭプレーヤ、車両搭載型ナビゲーションシステム(以下、「ＧＰＳ」という。)、その他車載用携帯式電子表示装置などに適する車載用取付台に係わるものである。
【背景技術】
【０００２】
車載用電子製品の技術は日々に進歩し、今日の車載電子装置も多元化となっている。一例として、ＣＤ-ＲＯＭプレーヤ、ＧＰＳなどの携帯式電子表示装置は、もはや自動車の基本的な装置となっている。
【０００３】
前記した各種の携帯式電子表示装置を車内に取り付けるため、良く使用する方法は、車載用取付台を設ける。
従来の取付台は鉤爪状を形成している。つまり、取付台の上下に突き出す鉤爪でもって、携帯式電子表示装置をしっかりと掴み、携帯式電子表示装置を車内にて確実に取り付けられる。
【０００４】
しかしながら、従来の設計では、各種の携帯式電子表示装置はそれぞれ独自の取付台が設けられている。
すなわち、携帯式電子表示装置の大きさによって、その取付台のサイズを決める。
また、車内に複数の携帯式電子表示装置を取り付けるとき、その車内に複数の取付台を取り付けなければならないため、極めて乱雑、かつ美観上は良くない。
【０００５】
さらに、携帯式電子表示装置の使用、又は取付台より取り外すとき、取付台は曲げ角度の調節ができないため、車内のダッシュボード上部などにそのまま聳えて置くしかない。
そのため、使用が不便のほかに、運転者の視線を妨げるといった問題点がある。
【特許文献１】アメリカ合衆国特許第６９５５２８０号
【特許文献２】アメリカ合衆国特許第６８２７３１８号
【特許文献３】アメリカ合衆国特許第６７５８５２１号
【特許文献４】アメリカ合衆国特許第６２３４４３５号
【特許文献５】アメリカ合衆国特許第６２１３４３８
【特許文献６】アメリカ合衆国特許第５９９６８６６号
【特許文献７】アメリカ合衆国特許第５９６４６０１号
【考案の開示】
【考案が解決しようとする課題】
【０００６】
その例として、アメリカ合衆国特許第６９５５２８０号、第６８２７３１８号、第６７５８５２１号、第６２３４４３５号、第６２１３４３８号、第５９９６８６６号及び第５９６４６０１号は、車内への固定方式、携帯式電子表示装置の挟み方など、すべては従来の取付台構造に変化及び改良を施すものである。
これらは構造を複雑化させることのほかに、取付台の過大が課題として残されている。
これらの課題は車載用取付台製品の理想な操作状態を満たしていない。
よって、車載用取付台の操作をより便利にして、取付台サイズを小型化させることは、実用的な思考方向である。
【課題を解決するための手段】
【０００７】
本考案の携帯式電子表示装置の車載用取付台は主に、支持架台、Ｕ字取付台及び自在式掛け合い部材より構成する。
【０００８】
前記のＵ字取付台は支持架台に接続し、前記Ｕ字取付台はもう一つの側板、側板、及び底部側板を含みる。そのうち、前記底部側板はもう一つの側板と側板にそれぞれ接続し、もう一つの側板、側板は囲い込んで収容凹み部を形成する。
【０００９】
さらに、自在式掛け合い部材は前記のＵ字取付台の側板に枢設され、側板に対して回転する。前記自在式掛け合い部材は操作部及び掛け合い部がそれぞれ含まれる。
【００１０】
前記の自在式掛け合い部材に備える操作部を操作し、自在式掛け合い部材をＵ字取付台の側板に対して回転させ、かつ、掛け合い部は収容凹み部に向かって回転する。そのうち、側板の長さともう一つの側板の長さは、少なくとも一つの側板の長さは底部側板の幅より大きく設ける。
【００１１】
本考案の主な目的は、使用の便利性を向上し、携帯式電子表示装置の厚部を挟み込み、取付台の小型化目的を実現できる一種のすべての電子表示装置共用可能な取付台構造を提供することである。
【００１２】
前記の支持架台は可とう性連稈を用いるため、可とう性連稈の可とう性を利用し、運転者によって、携帯式電子表示装置を好みの角度に調整して、視角を広げる利便性を向上させる。
さらに、携帯式電子表示装置を取付台から取り外された後に、取付台が運転者の視線を妨げない適切な角度に調節でき、美観性を向上する、電子表示装置を共用可能な取付台構造を提供することが本考案次の目的である。
【考案を実施するための最良の形態】
【００１３】
図面を参照しながら本考案について詳述する。
【実施例１】
【００１４】
図１は、本考案の実施例１の使用態様図である。
図示の通り、本考案による携帯式電子表示装置の車載用取付台は携帯式電子表示装置５が取り付けられている。
本実施例において、ＣＤプレーヤを用いる。
【００１５】
図１と図２を合わせて参照する。
そのうち、図２は本考案実施例１の側視図である。
図示した通り、本考案による携帯式電子表示装置の車載用取付台は、支持架台１、Ｕ字取付台２及び自在式掛け合い部材３を含みる。
【００１６】
図示の支持架台１は本実施例において、連稈１１を設ける。
前記連稈１１は端部１１１及びもう一つの端部１１２を含む。
前記端部１１１はＵ字取付台２に接続し、前記連稈１１に備えるもう一つの端部１１２に真空吸着盤１２を組み込む。
本実施例において、前記真空吸着盤１２は軟質プラスチック製カップ体を用いる。
前記真空吸着盤１２は突起部１２１を含む。
前記連稈１１のもう一つの端部１１２の寄り側に係り止めカム１３を設ける。
前記係り止めカム１３は連稈１１に対して回転し、真空吸着盤１２の突起部１２１に係止する。
【００１７】
図示したＵ字取付台２はもう一つの側板２１、側板２２及び底部側板２３を含み、かつ、前記側板２３はもう一つの側板２１と側板に接続する。
もう一つの側板２１、側板２２及び底部側板２３は囲い込んで収容凹み部２５を形成する。
【００１８】
図示した自在式掛け合い部材３は掛け合いカムを用いて、前記のＵ字取付台２の側板２２に枢設されて、側板２２に対して回転する。
さらに、前記自在式掛け合い部材３は操作部３１及び掛け合い部３２を含み、掛け合い部３２に回転輪３２１を枢設する。
【００１９】
本実施例において、前記のＵ字取付台２の側板２２に貫通孔２２１を設ける。
前記貫通孔２２１は収容凹み部２５に接続し、自在式掛け合い部材３は貫通孔２２１を通して、Ｕ字取付台２の側板２２に枢設される。
【００２０】
引き続き図１、図２及び図３を合わせて参照する。
図３は本考案の実施例１による側視図である。
本考案は使用するとき、連稈１１のもう一つの端部１１２に備える真空吸着盤１２を車の風防ガラス(図示しない)に吸着させ、連稈１１の係り止めカム１３を回して、係り止めカム１３を真空吸着盤１２の突起部１２１に合わせて係止めることにより、真空吸着盤１２は車の風防ガラス(図示しない)に密着できる。
【００２１】
引き続き、携帯式電子表示装置５をＵ字取付台２の収容凹み部２５に取り付けた後、自在式掛け合い部材３の操作部３１に力を加えて、自在式掛け合い部材３をＵ字取付台２の側板２２に対して回転させ、自在式掛け合い部材３の掛け合い部３２を収容凹み部２５に対して回転させる。
このとき、自在式掛け合い部材３の掛け合い部３２を携帯式電子表示装置５に密着できる。
さらに、自在式掛け合い部材３は掛け合い部３２に枢設された回転輪３２１により、転がして携帯式電子表示装置５をしっかりと圧迫できる。そのため、自在式掛け合い部材３を操作するときの摩擦を避けられるほか、携帯式電子表示装置５は破損の恐れがない。
【００２２】
前記した構造により、すべてのサイズの携帯式電子表示装置５ともＵ字取付台２の収容凹み部２５に取り付けた後、自在式掛け合い部材３は携帯式電子表示装置５を落さないように圧迫しているため、前記の構造でもって、各種の携帯式電子表示装置５とも一つの取付台構造を共用できて、使用の便利性が向上する。
【００２３】
さらに、本実施例において、Ｕ字取付台２のもう一つの側板２１はもう一つの側板の長さ２１０、Ｕ字取付台２の側板２２は側板の長さ２２０、底部側板は底部側板の幅２３０をそれぞれ有し、かつ、もう一つの側板の長さ２１０と側板の長さ２２０は少なくとも一つの側板の長さは底部側板の幅２３０を大きく設ける。
これにより、長さの差を利用して、携帯式電子表示装置５をＵ字取付台２の収容凹み部２５へ簡単に納めることができるほか、携帯式電子表示装置５を係止して、落下する恐れがない。
携帯式電子表示装置の厚部を挟み込み、Ｕ字取付台２の小型化を実現し、体積を小さくすることができる。
【実施例２】
【００２４】
図４及び５を合わせて参照する。
図４は本考案の実施例２の立面図であり、図５は本考案の実施例２の側視図である。
本実施例の主な構造は実施例１と同様である。
ただし、Ｕ字取付台６１１のもう一つの側板６１２は収容凹み部６１３に向かう側に固定式掛け合い部を有し、少なくとも一つの突起部を有する。
本実施例において、前記固定式掛け合い部は二つの突起部６１４を用いて、プラスチック製の突起部とする。
これにより、携帯式電子表示装置６１５をＵ字取付台６１１の収容凹み部６１３に取り付けた後、自在式掛け合い部材６１６を操作するときに移動するための余裕な空間を確保できるため、使用する際の便利性を向上できる。
【実施例３】
【００２５】
図６は、本考案の実施例３の立面図である。
本実施例の主な構造は実施例１と同様である。
ただし、連稈６２１の端部６２２は滑り駒６２３を含みるほか、Ｕ字取付台６２４は底部側板６２５の場所に摺動部６２６をそれぞれ設け、連稈６２１の端部６２２に備える滑り駒６２３は摺動部６２６に合わせて設け、Ｕ字取付台６２４を連稈６２１の端部６２２に接続する。
【００２６】
滑り駒６２３と摺動部６２６の構造設計により、Ｕ字取付台６２４は取外し可能にて連稈６２１の端部６２２に接続し、収納、又は交換に便利である。
【実施例４】
【００２７】
図７は、本考案の実施例４の立面図である。
本実施例の主な構造は実施例１と同様である。
ただし、支持架台６３１は可とう性連稈６３２を用いる。前記可とう性連稈６３２は金棒に軟質部材を被せる。
前記軟質部材はゴム又はプラスチック、あるいは複数の連稈より構成する。連稈６３２の可とう性と曲げ特性により、運転者は携帯式電子表示装置５(図１参照)を好みの角度に調整して、視角の便利性を向上できる。
さらに、携帯式電子表示装置５(図１を参照)をＵ字取付台２(図１を参照)から取外した後に、Ｕ字取付台２(図１を参照)を運転者の視角を妨げないように角度調節するなど、美観性を向上する。
【００２８】
前記した実施例は説明の都合によるものであり、本考案に何らの制限を加わるものではない。
【図面の簡単な説明】
【００２９】
【図１】本考案の実施例１の使用態様概略図である。
【図２】本考案の実施例１の側視図（その一）である。
【図３】本考案の実施例１の側視図（その二）である。
【図４】本考案の実施例２の立面図である。
【図５】本考案の実施例２の側視図である。
【図６】本考案の実施例３の立面図である。
【図７】本考案の実施例４の立面図である。
【符号の説明】
【００３０】
１        支持架台
１１      連稈
１１１    端部
１１２    もう一つの端部
１２      真空吸着盤
１２１    突起部
１３      係り止めカム
２        Ｕ字取付台
２１      もう一つの側板
２１０    もう一つ側板の長さ
２２      側板
２２０    側板の長さ
２２１    貫通孔
２３      底部側板
２３０    底部側板の幅
２５      収容凹み部
３        自在式掛け合い部材
３１      操作部
３２      掛け合い部
３２１    回転輪
５        携帯式電子表示装置
６１１    Ｕ字取付台
６１２    もう一つの側板
６１３    収容凹み部
６１４    突起部
６１５    携帯式電子表示装置
６１６    自在式掛け合い部材
６２１    連稈
６２２    端部
６２３    滑り駒
６２４    Ｕ字取付台
６２５    底部側板
６２６    摺動部
６３１    支持架台
６３２    可とう性連稈
【図１】
0003142389.tif 000003
【図２】
0003142389.tif 000004
【図３】
0003142389.tif 000005
【図４】
0003142389.tif 000006
【図５】
0003142389.tif 000007
【図６】
0003142389.tif 000008
【図７】
0003142389.tif 000009